(57)【要約】【課題】点灯状態により表示を行う発光表示部の視認性を向上させたスイッチ装置を提供する。【解決手段】スイッチ装置Ａは、器具取付用の窓孔２ａを有する取付枠２と、窓孔２ａから前面を露出した状態で取付枠２に取着される器体１０、器体１０の前面に揺動自在に配置されたピアノハンドル１２、および、負荷と電源との直列回路が両端間に接続されピアノハンドル１２の操作に応じてオン／オフが切り替わる接点部を具備したスイッチ本体１と、窓孔２ａに連通する開口窓４ａ，５ａを有し、当該開口窓４ａ，５ａにスイッチ本体１の前面を臨ませた状態で取付枠２の前面側に取着されるプレート（プレート枠４および化粧プレート５）とを有し、化粧プレート５の背面において開口窓５ａの周縁部に有機ＥＬ素子からなる発光表示部６を配置するとともに、事象の発生に応じて入力される連動制御信号に基づいて発光表示部６の点灯状態を制御する発光制御部を備える。【選択図】図１
2008171730.tif 000002
【特許請求の範囲】
【請求項１】
器具取付用の窓孔を有する取付枠と、
前記窓孔から前面を露出した状態で取付枠に取着される器体、当該器体の前面に設けられたオン・オフ操作部、および、負荷と電源よりなる直列回路が両端間に接続されオン・オフ操作部の操作に応じてオン／オフが切り替わる接点部を具備したスイッチ本体と、
前記窓孔に連通する開口窓を有し、当該開口窓にスイッチ本体の前面を臨ませた状態で前記取付枠の前面側に取着されるプレートとを有し、
前記プレートにおいて前記開口窓の周縁部に有機ＥＬ素子からなる発光表示部を配置するとともに、事象の発生に応じて入力される連動制御信号に基づいて前記発光表示部の点灯状態を制御する発光制御部を設けたことを特徴とするスイッチ装置。
【請求項２】
前記発光制御部は、前記発光表示部の発光色の色温度を変化させる色温度制御、又は、前記発光表示部の点灯／点滅を切り替える切替制御のうちの少なくとも何れか一方を行うことを特徴とする請求項１記載のスイッチ装置。
【請求項３】
前記発光制御部は、前記連動制御信号として、所定の検知エリアにおいて人の存否を検知する人体検知センサからの人体検知信号が入力されると、前記発光表示部の点灯状態を変化させることを特徴とする請求項１又は２に記載のスイッチ装置。
【請求項４】
前記接点がオフからオンに切り替わった時点より所定の通電時間を計時し、タイムアップするとタイムアップ信号を発生するとともに、計時中に前記接点がオンからオフに切り替わると計時動作を終了する計時タイマを備え、前記発光制御部は、前記連動制御信号として前記タイムアップ信号が入力されると、前記発光表示部を点滅させることを特徴とする請求項１又は２に記載のスイッチ装置。
【請求項５】
前記発光制御部は、前記連動制御信号として異常を検知する異常検知センサからの異常検知信号が入力されると、前記発光表示部の点灯状態を変化させることを特徴とする請求項１又は２に記載のスイッチ装置。
【請求項６】
前記発光制御部は、前記連動制御信号として住戸内に設置された他の電気機器からの通知信号が入力されると、前記発光表示部の点灯状態を変化させることを特徴とする請求項１又は２に記載のスイッチ装置。
【請求項７】
前記取付枠又は前記プレートのうち少なくとも何れか一方に、前記ＥＬ素子に対して背面側に位置するように吸湿剤を保持させたことを特徴とする請求項１乃至６の何れか１項に記載のスイッチ装置。
【請求項８】
前記取付枠および前記プレートが、大角形の３個モジュール寸法の配線器具に対応した形状および寸法に形成されたことを特徴とする請求項１乃至７の何れか１項に記載のスイッチ装置。
【発明の詳細な説明】
【技術分野】
【０００１】
本発明は、スイッチ装置に関するものである。
【背景技術】
【０００２】
従来、器具取付用の窓孔を有する取付枠と、窓孔から前面を露出した状態で取付枠に取着される器体、当該器体の前面に設けられたオン・オフ操作部、および、負荷と電源よりなる直列回路が両端間に接続されオン・オフ操作部の操作に応じてオン／オフが切り替わる接点部を具備したスイッチ本体と、窓孔に連通する開口窓を有し、当該開口窓にスイッチ本体の前面側を臨ませた状態で取付枠の前面側に取着されるプレートとを有するスイッチ装置が提供されている（例えば特許文献１参照）。
【０００３】
このスイッチ装置では、夜間や暗所などでの操作性を向上させるために、スイッチ本体の器体前面に位置表示用の発光表示部を設けるとともに、操作ハンドルに発光表示部の発光を外部に照射させるための透光窓を設けてあり、発光表示部の発光でスイッチ装置の設置位置を容易に判別できるようにしていた。
【特許文献１】特開２００３−７１７０号公報（段落［００２３］−［００２６］、及び、第８図）
【発明の開示】
【発明が解決しようとする課題】
【０００４】
上記構成のスイッチ装置では、操作ハンドルに設けた発光表示部が点灯することによって、夜間や暗所などで操作ハンドルの位置を容易に把握できるようにしているが、発光表示部の大きさが操作ハンドルに比較して小さいため、視認性が充分ではないという問題があった。
【０００５】
本発明は上記問題点に鑑みて為されたものであり、その目的とするところは、点灯状態により表示を行う発光表示部の視認性を向上させたスイッチ装置を提供することにある。
【課題を解決するための手段】
【０００６】
上記目的を達成するために、請求項１の発明は、器具取付用の窓孔を有する取付枠と、窓孔から前面を露出した状態で取付枠に取着される器体、当該器体の前面に設けられたオン・オフ操作部、および、負荷と電源よりなる直列回路が両端間に接続されオン・オフ操作部の操作に応じてオン／オフが切り替わる接点部を具備したスイッチ本体と、窓孔に連通する開口窓を有し、当該開口窓にスイッチ本体の前面を臨ませた状態で取付枠の前面側に取着されるプレートとを有し、プレートにおいて開口窓の周縁部に有機ＥＬ素子からなる発光表示部を配置するとともに、事象の発生に応じて入力される連動制御信号に基づいて発光表示部の点灯状態を制御する発光制御部を設けたことを特徴とする。
【０００７】
請求項２の発明は、請求項１の発明において、発光制御部は、発光表示部の発光色の色温度を変化させる色温度制御、又は、発光表示部の点灯／点滅を切り替える切替制御のうちの少なくとも何れか一方を行うことを特徴とする。
【０００８】
請求項３の発明は、請求項１又は２の発明において、発光制御部は、連動制御信号として、所定の検知エリアにおいて人の存否を検知する人体検知センサからの人体検知信号が入力されると、発光表示部の点灯状態を変化させることを特徴とする。
【０００９】
請求項４の発明は、請求項１又は２の発明において、接点がオフからオンに切り替わった時点より所定の通電時間を計時し、タイムアップするとタイムアップ信号を発生するとともに、計時中に接点がオンからオフに切り替わると計時動作を終了する計時タイマを備え、発光制御部は、連動制御信号としてタイムアップ信号が入力されると、発光表示部を点滅させることを特徴とする。
【００１０】
請求項５の発明は、請求項１又は２の発明において、発光制御部は、連動制御信号として異常を検知する異常検知センサからの異常検知信号が入力されると、発光表示部の点灯状態を変化させることを特徴とする、
請求項６の発明は、請求項１又は２の発明において、発光制御部は、連動制御信号として住戸内に設置される電気機器からの通知信号が入力されると、発光表示部の点灯状態を変化させることを特徴とする。
【００１１】
請求項６の発明は、請求項１乃至５の何れか１つの発明において、取付枠又はプレートのうち少なくとも何れか一方に、ＥＬ素子に対して背面側に位置するように吸湿剤を保持させたことを特徴とする。
【００１２】
請求項７の発明は、請求項１乃至６の何れか１つのの発明において、取付枠およびプレートが、大角形の３個モジュール寸法の配線器具に対応した形状および寸法に形成されたことを特徴とする。
【発明の効果】
【００１３】
本発明によれば、プレートにおいて開口窓の周縁部に有機ＥＬ素子からなる発光表示部を設けているので、操作ハンドルの一部に発光表示部を設ける場合に比べて、発光表示部の発光面積を大きくして視認性を向上させることができるという効果がある。しかも、発光表示部を有機ＥＬ素子で構成しているので、発光表示部が設けられたプレートの厚みを薄くできるとともに、発光ダイオードを用いる場合に比べて素子数を少なくできるという効果もあり、またプレートの厚みが従来のものに比べて違和感を与えるほどに増えることがないから、既存のスイッチ本体をそのまま使用した場合でもユーザに違和感を与えることがないという効果もある。さらに、発光制御部は、事象の発生に応じて入力される連動制御信号に基づいて発光表示部の点灯状態を変化させているので、点灯状態の変化によって事象の発生を報知することができるという効果もある。
【発明を実施するための最良の形態】
【００１４】
以下に本発明の実施の形態を図面に基づいて説明する。
【００１５】
（実施形態１）
本実施形態のスイッチ装置Ａの分解斜視図を図１に、正面図を図２に、側面図を図３にそれぞれ示す。尚、以下の説明では特に断りが無い限り、図２に示す向きにおいて上下左右の方向を規定し、図２中の正面を前面として説明を行う。したがって、図３中の右端が後端となる。
【００１６】
このスイッチ装置Ａは、押釦ハンドル１１を備え押釦ハンドル１１の押操作毎に内蔵する接点を反転させるスイッチ本体１と、スイッチ本体１の前面に対向する形で配設され一端部がスイッチ本体１に枢着されるとともに他端部の裏面で押釦ハンドル１１を押操作するピアノハンドル１２（オン・オフ操作部）とを備える。スイッチ本体１の器体１０は、矩形枠状であって器具取付用の窓孔２ａを有した取付枠２に保持される。また、取付枠２の前面側には取付枠２の窓孔２ａよりも長寸かつ広幅の開口窓４ａ，５ａを備えるプレート３（プレート枠４および化粧プレート５からなる）が重ね合わせて配置される。取付枠２は器具取付手段としての器具取付孔２ｂを長手方向において３組備えている。
【００１７】
スイッチ本体１の器体１０は合成樹脂の成型品であって直方体状に形成されている。器体１０の短手方向の寸法は、大角連用形（ＪＩＳ  Ｃ８３０４参照）と称する埋込型配線器具の施工時に用いる取付枠に３個まで取着可能な寸法に形成してある。つまり、上述した取付枠２の窓孔２ａは、ＪＩＳで規格化された上記取付枠の窓孔と長手方向の寸法が等しく設定してあり、短手方向の寸法はやや幅広に設定されている。したがって、スイッチ本体１の器体１０の短手方向寸法は取付枠２の窓孔２ａの長手方向寸法の略３分の１の寸法に形成されており、この寸法を大角連用形の配線器具と同様に「１個モジュール寸法」と呼称する。
【００１８】
一方、器体１０の長手方向寸法は窓孔２ａの短手方向寸法に略等しく、器体１０の長手方向における両側面には、取付枠２の窓孔２ａを囲む部位に設けた上記器具取付孔２ｂに係合可能な取付爪１０ａがそれぞれ一対ずつ突設してあり、取付爪１０ａが器具取付孔２ｂに係合することによって器体１０が取付枠２に保持されるようにしてある（図３参照）。尚、一方の側面に設けた取付爪１０ａは、取付爪１０ａが突設された側壁の部位を撓ませることで、器体１０の側面から弾性的に後退させることができ、取付爪１０ａと器具取付孔２ｂとの係止状態を解除することで、スイッチ本体１を取付枠２から容易に取り外すことができるようになっている。
【００１９】
ところで、図６はスイッチ装置Ａの内部回路図を示しており、スイッチ本体１は共通端子ｔ０と切替端子ｔ１，ｔ３とを備え、共通端子ｔ０と切替端子ｔ１との間に商用交流電源ＡＣと照明負荷などの負荷Ｌとからなる直列回路が接続されている。そして、スイッチ本体１の器体１０内部には、共通端子ｔ０と切替端子ｔ１の間の電路に挿入される接点１３（接点部）と、押釦ハンドル１１の押操作毎に接点１３のオン／オフを反転させる開閉機構（図示せず）とを収納するとともに、共通端子ｔ０と接点１３との間の電路に一次巻線が挿入された電流トランスＣＴ１を収納している。また、器体１０の内部には、切替端子ｔ１，ｔ３間に接続された抵抗Ｒ１とネオンランプよりなる位置表示灯Ｌ１との直列回路と、位置表示灯Ｌ１と抵抗Ｒ１との直列回路に並列接続した抵抗Ｒ２と、電流トランスＣＴ１の二次巻線の両端間に接続された発光ダイオードからなるパイロット灯Ｌ２と、パイロット灯Ｌ２と逆並列に接続されたダイオードＤ１とを実装したプリント配線板（図示せず）が収納されている。而して、このスイッチ本体１では、接点１３のオン／オフに応じて負荷Ｌへの電源供給を入／切することができ、負荷Ｌがオフであるときには接点１３を介して位置表示灯Ｌ１に電圧が印加されて、位置表示灯Ｌ１が点灯するので、照明負荷のような負荷Ｌが消灯しているときには位置表示灯Ｌ１が点灯することで、暗がりでもスイッチの位置を容易に確認することができる。また、負荷Ｌがオンであるときには、電流トランスＣＴ１の１次側に負荷電流が流れるから、パイロット灯Ｌ２が点灯して負荷Ｌがオン状態にあることを表示することができる。
【００２０】
ここで、器体１０の前面において長手方向の一端側（図４（ａ）の左側）には、内側の収納空間に連通する透光窓１４が形成され、透光窓１４には透光性を有したランプカバー１４ａが取り付けられる。器体１０内部の収納空間には、透光窓１４に臨ませて位置表示灯Ｌ１やパイロット灯Ｌ２が配設されており、位置表示灯Ｌ１およびパイロット灯Ｌ２の点灯／消灯の状態をランプカバー１４ａを通して視認できるようになっている。
【００２１】
また、器体１０前面の長手方向一端側には、透光窓１４を間にして上下両側に、ピアノハンドル１２を枢着するために、斜め前方に突出する一対の軸部１５が一体に突設してある。軸部１５の前端部は器体１０の短手方向に沿った円柱状に形成される。ピアノハンドル１２の背面の一端側には軸部１５を軸支する軸受部（図示せず）が設けてあり、軸部１５を軸受部に回動自在に嵌め込むことで、ピアノハンドル１２を回動自在に枢着できるようになっている（図４（ｂ）参照）。なお、ピアノハンドル１２の背面の他端側には、後方に向かって抜け止め用の抜止片１２ａを突設してある。抜止片１２ａは器体１０の前壁に形成した挿入孔１０ｂを通して器体１０内部の空所に挿入され、抜止片１２ａの先端部に設けた係止爪１２ｂが挿入孔１０ｂの周縁に係止されることによって、ピアノハンドル１２の回動範囲が規制されるようになっている。
【００２２】
上述のようにピアノハンドル１２がスイッチ本体１に取り付けられることにより、ピアノハンドル１２の上記他端部を押操作すると、軸受部（図示せず）と軸部１５とを中心にしてピアノハンドル１２が回動する。ピアノハンドル１２の後面には器体１０の前面に設けた押釦ハンドル１１が当接しており、ピアノハンドル１２を押操作すれば押釦ハンドル１１が器体１０に押し込まれ、押操作の度に接点１３のオン／オフが切り換えられるのである。
【００２３】
ところで、上述した取付枠２は１個モジュール寸法のスイッチ本体１を３個取り付けることができるものであるから、３個用（一連）の取付枠２と呼称する。すなわち、取付枠２の窓孔２ａの両側の側片には、スイッチ本体１の取付爪１０ａが係止される２個１組の器具取付孔２ｂが３組ずつ設けてあり、窓孔２ａ内でスイッチ本体１の取付位置を３箇所選択できるようになっている。ここで、窓孔２ａの長手方向にスイッチ本体１の短手方向を一致させてスイッチ本体１を取付枠２に取り付ける場合の３つの取付位置を、それぞれ上端位置、中央位置、下端位置と呼ぶことにする。本実施形態では取付枠２の上端位置および下端位置にそれぞれスイッチ本体１を取り付けてあり、各スイッチ本体１に取着されるピアノハンドル１２は、図２に示すようにプレート３（プレート枠４および化粧プレート５）の開口窓４ａ，５ａを２個で覆うことが可能な程度の寸法に形成されている。このような寸法に形成されたピアノハンドル１２を２個用のピアノハンドルと呼ぶ。
【００２４】
ここにおいて、取付枠２にスイッチ本体１を１個だけ取り付けて使用する場合は、スイッチ本体１を中央位置に取り付け、プレート３の開口窓４ａ，５ａを１個で覆うことが可能な程度の寸法を有した１個用のピアノハンドル１２を用いれば良い。また、取付枠２にスイッチ本体１を３個取り付けて使用する場合は、３個のスイッチ本体１をそれぞれ上端位置、中央位置、下端位置に取り付け、プレート３の開口窓４ａ，５ａを３個で覆うことが可能な程度の寸法を有した３個用のピアノハンドル１２を用いれば良い。
【００２５】
また、ピアノハンドル１２において軸支される一端側の上下方向中央部には、ピアノハンドル１２をスイッチ本体１の器体１０に取り付けた際にスイッチ本体１のランプカバー１４ａに対応する部位に表示孔１６が開口する。この表示孔１６には、透明合成樹脂の成型品からなるレンズ１６ａの一部がピアノハンドル１２の背面側からはめ込んであり、位置表示灯Ｌ１やパイロット灯Ｌ２からの光がレンズ１６ａを通してピアノハンドル１２の前面側に導かれるようになっている。
【００２６】
プレート枠４はＡＢＳ樹脂のような合成樹脂によって矩形枠状に形成された成形品であって、上下の側片４ｂにはそれぞれ取付ねじ２１が挿通されるねじ挿通孔４ｃが設けてある。また、プレート枠４の周部には全周に亘って段部４ｄが形成されている。
【００２７】
プレート枠４に結合される化粧プレート５は、プレート枠４と同様にＡＢＳ樹脂のような合成樹脂によって矩形枠状に形成される。また、化粧プレート５の裏面にはプレート枠４に結合するための係止片（図示せず）が複数本突設されている。化粧プレート５は前壁の外周縁から後方に向かって延設された周壁５ｂを備えており、プレート枠４に化粧プレート５を重ね合わせたときに周壁５ｂの後縁がプレート枠４の段部４ｄの前面に載るようにしてある。
【００２８】
而して、スイッチ本体１を取り付けた取付枠２に、取付ねじ２１を用いてプレート枠４を取り付け、さらに化粧プレート５をプレート枠４に結合するとともに、スイッチ本体１にピアノハンドル１２を取り付けると、プレート枠４および化粧プレート５の中央部の開口窓４ａ，５ａを通してピアノハンドル１２の一部をプレート３の前方に突出させることができ、この状態でピアノハンドル１２を押操作することができることになる。なお本実施形態では、取付枠２およびプレート３（プレート枠４と化粧プレート５からなる）が、大角連用形の３個モジュール寸法の配線器具に対応した１連の形状および寸法に形成されているので、スイッチ本体１の大きさが大角連用形配線器具の１個モジュール寸法に形成されていれば、取付枠２に最大３個まで取り付けて使用することができ、また他の配線器具と並設して使用することもできる。
【００２９】
図７は本実施形態のスイッチ装置Ａの使用状態を示しており、例えばトイレの出入り口５１近傍の壁５０に設置されて、トイレ内に設置された照明負荷や換気扇などの負荷Ｌをオン／オフするために使用される。
【００３０】
ここで、本実施形態のスイッチ装置Ａでは、図１および図５に示すように、化粧プレート５の裏面において上下の枠片には有機ＥＬ素子からなる短冊状の発光表示部６が発光面を前方に向けて１個ずつ、左右の枠片には有機ＥＬ素子からなる短冊状の発光表示部６が発光面を前方に向けて２個ずつ配設されるとともに、各発光表示部６の陽極および陰極にそれぞれ電気的に接続される給電電極（図示せず）が配設されている。なお本実施形態では、６個の有機ＥＬ素子で発光表示部６を構成しているが、有機ＥＬ素子の個数を６個に限定する趣旨のものではなく、上下左右の枠片に有機ＥＬ素子を１個ずつ配置しても良いし、ロ字状に形成された１個の有機ＥＬ素子で発光表示部６を構成しても良い。
【００３１】
また図６はスイッチ装置Ａの内部回路図を示しており、スイッチ装置Ａは、事象の発生に応じて外部より連動制御信号が入力される信号入力部９と、信号入力部９を介して入力される連動制御信号に基づいて発光表示部６の点灯状態を制御する発光制御部７と、商用交流電源ＡＣの交流電圧を所望の電圧値の直流電圧に変換して発光表示部６や発光制御部７の動作電源を生成する電源部８とを備えている。ここに、信号入力部９、発光制御部７および電源部８などの回路を構成する回路部品は図示しないプリント配線基板に実装され、例えばスイッチ本体１の内部に収納されており、器体１０に設けた接続端子（図示せず）を介して発光制御部７の出力端子が上記給電電極に電気的に接続されている。
【００３２】
化粧プレート５は透明または半透明あるいは乳白色のような光透過性を有する合成樹脂により形成されており、上下左右の枠片の裏面側に配設された発光表示部６が点灯すると、発光表示部６の発光が化粧プレート５の枠片を透過するので、化粧プレート５の前面側より発光表示部６の点灯状態（点灯、点滅）や消灯状態を目視できるようになっている。なお、化粧プレート５の背面には、発光表示部６が形成された部位のみに、発光表示部６の裏面に直接接触するようにして、シリカなどの吸湿作用を有する材料で形成された吸湿シート（図示せず）が化粧プレート５と一体的に設けられており、発光表示部６の裏面に接する吸湿シートが水分を吸収することによって、発光表示部６を構成する有機ＥＬ素子の劣化を抑制することができる。
【００３３】
また信号入力部９には、連動制御信号として、スイッチ装置Ａの設置場所の近傍に設けた検知エリア内における人の存否を検知する人体検知センサ２２からの人体検知信号や、例えば火災を検知する異常検知センサ２３からの異常検知信号や、住戸内に設置された他の電気機器２６からの通知信号が入力される。尚、異常検知センサ２３が検知する異常を火災に限定する趣旨のものではなく、異常検知センサとして警戒エリア内への侵入やガス漏れなどの異常を検知するセンサを用いても良い。
【００３４】
またスイッチ装置Ａでは、例えば負荷電流を検出することによってスイッチ本体１の接点１３のオン、オフを検出するオン・オフ検出部２４と、オン・オフ検出部２４の検出結果に基づいて、接点１３がオフからオンに切り替わった時点より所定の通電時間を計時し、タイムアップするとタイムアップ信号を出力するとともに、計時中に接点１３がオンからオフに切り替わると計時動作を終了する計時タイマ２５とを備えており、計時タイマ２５のタイムアップ信号を連動制御信号として信号入力部９に入力している。
【００３５】
ここで、発光制御部７による発光表示部６の制御動作について説明する。発光制御部７は発光表示部６を所望の発光色（例えば緑色）で常時点灯させており、夜間や暗所などでスイッチ装置Ａの位置表示を行っている。発光表示部６は化粧プレート５の上下左右の枠片の裏面にそれぞれ配設されており、発光表示部６を点灯させることで化粧プレート５の全体が発光しているように見えるので、視認性を向上させることができる。
【００３６】
また発光制御部７では、信号入力部９を介して入力される連動制御信号に基づいて、発光表示部６の点灯／点滅を切り換える切替制御を行っており、例えば人体検知センサ２２からの人体検知信号が入力されたり、異常検知センサ２３からの異常検知信号が入力されると、発光制御部７が発光表示部６を点灯状態から点滅状態に切り換えることで、ユーザに対して検知エリア内に人が進入したことや、異常が発生したことを視覚的に報知することができる。
【００３７】
また発光制御部７では、信号入力部９を介して他の電気機器２６から送信された通知信号が入力されると、通知信号の入力に応じて発光表示部６の点灯状態を変化させており、点灯状態の変化によって電気機器２６の状態変化を報知している。他の電気機器２６としては例えばインターホン親機や炊飯器や給湯器などがあり、インターホン親機がドアホン子器からの呼出に応じて通知信号を出力すると、通知信号の入力に応じて発光制御部７が発光表示部６を点滅させることによって、来訪者を発光表示部６の点灯状態で報知することができる。また、炊飯器や給湯器などスイッチ操作に応じて所定の動作を行う電気機器が、所定の動作（炊飯や湯沸かしなど）を完了した場合に通知信号を出力すると、通知信号の入力に応じて発光制御部７が発光表示部６の発光色を変化させることで、所定の動作が完了したこと（例えばご飯の炊き上がりやお湯が沸騰したこと）をユーザに報知することができる。
【００３８】
また更に、発光制御部７には、信号入力部９を介して計時タイマ２５のタイムアップ信号が連動制御信号として入力されている。ここで、計時タイマ２５は、接点１３がオフからオンに切り替わった時点より所定の通電時間を計時し、タイムアップするとタイムアップ信号を発生するとともに、計時中に接点１３がオンからオフに切り替わると計時動作を終了している。発光制御部７では、信号入力部９を介してタイムアップ信号が入力されると、発光表示部６を点滅させており、負荷Ｌが所定の通電時間を越えて通電されていることをユーザに報知して、スイッチの消し忘れを防止している。
【００３９】
なお発光制御部７が、信号入力部９を介して入力される連動制御信号に基づいて、発光表示部６の発光色の色温度を変化させる色温度制御を行うようにしても良く、例えば通常は発光色を緑色とし、異常検知センサ２３が異常を検知すると発光色を赤色に変化させることで、ユーザに対して異常が発生したことを判りやすく報知することができる。また発光制御部７では、複数個の発光表示部６の点灯状態を一括して制御しても良いし、各発光表示部６の点灯状態を個別に制御しても良く、例えば一方のスイッチ本体１に対応する負荷Ｌが所定の通電時間を越えて通電されている場合には、この負荷に対応したピアノハンドル１２の周囲にある発光制御部６のみ（例えば図２中の上側又は下側の３個の発光表示部６のみ）を点滅させるようにしても良い。
【００４０】
なお、発光表示部６の点灯状態により報知する事象が複数ある場合は、発光制御部７が各々の事象に合わせて発光表示部６を点滅させる周期や発光表示部６の発光色などを異ならせるのが好ましく、点滅周期や発光色の違いからどの事象を報知しているのかをユーザが判別することができる。
【００４１】
また、本実施形態では化粧プレート５の背面に有機ＥＬ素子からなる発光表示部６を一体的に設けているが、プレート枠４の前面に有機ＥＬ素子からなる発光表示部を一体的に設け、発光表示部の発光を化粧プレート５を透過させることで外部から発光表示部の発光を視認できるようにしても良い。
【００４２】
（実施形態２）
本実施形態のスイッチ装置Ａを図８の分解斜視図に基づいて説明する。上述の実施形態１では化粧プレート５の背面又はプレート枠４の前面に有機ＥＬ素子からなる発光表示部６を一体的に設けているのに対して、本実施形態では化粧プレート５やプレート枠４とは別体に形成された枠体２０ａの前面に有機ＥＬ素子からなる発光表示部２０ｂを形成した表示部材２０を化粧プレート５とプレート枠４との間の隙間に介装している。尚、表示部材２０以外の構成は実施形態１と同様であるので、共通する構成要素には同一の符号を付して、その説明は省略する。
【００４３】
発光表示部２０ｂを構成する有機ＥＬ素子の陽極および陰極は、図示しない導電部材を介して発光制御部７の出力端子に電気的に接続されており、実施形態１と同様に、発光制御部７によって発光表示部２０ｂの点灯状態が制御されるようになっている。化粧プレート５は、透明または半透明あるいは乳白色のような光透過性を有する合成樹脂により形成されており、発光表示部２０ｂが点灯すると、発光表示部２０ｂの発光が化粧プレート５を透過するので、化粧プレート５の前面側から発光表示部２０ｂの点灯状態（点灯、点滅）や消灯状態を目視できるようになっている。
【００４４】
上述のように表示部材２０は、樹脂成型品からなる枠体２０ａの前面に、有機ＥＬ素子からなる発光表示部２０ｂを全周に亘って形成してなり、表示部材２０の中央部の開口はプレート３の開口窓４ａ，５ａよりも大きく、且つ、表示部材２０の外周が化粧プレート５の周壁５ｂよりも内側に位置するような大きさに形成されている。而して、表示部材２０を化粧プレート５とプレート枠４との間に介装した状態では、表示部材２０が化粧プレート５の裏面側の窪み部分に納まり、化粧プレート５の厚みが増すこともない。したがって、化粧プレート５やプレート枠４の寸法を既存のものと同等の寸法に形成することができるので、化粧プレート５やプレート枠４には既存のものをそのまま使用することが可能になる。
【００４５】
尚、本実施形態においても、実施形態１と同様に、有機ＥＬ素子からなる発光表示部２０ｂの背面側（すなわち発光表示部２０ｂと枠体２０ａとの間）に吸湿シート（図示せず）を設けてもよい。この場合、発光表示部２０ｂの裏面に直接接する吸湿シートが水分を吸収することによって、発光表示部２０ｂを構成する有機ＥＬ素子の劣化を抑制することができる。
【００４６】
また本実施形態では発光表示部２０ｂが枠状に形成された１つの有機ＥＬ素子で構成されているが、実施形態１と同様に、枠状のものを分割した複数の有機ＥＬ素子で構成するようにしても良い。
【図面の簡単な説明】
【００４７】
【図１】実施形態１のスイッチ装置の分解斜視図である。
【図２】同上の正面図である。
【図３】同上の側面図である。
【図４】同上に用いるスイッチ本体を示し、（ａ）は正面図、（ｂ）は下面図である。
【図５】同上に用いるプレートの背面図である。
【図６】同上の内部回路図である。
【図７】同上の使用状態を説明する説明図である。
【図８】実施形態２のスイッチ装置の分解斜視図である。
【符号の説明】
【００４８】
Ａ  スイッチ装置
１  スイッチ本体
２  取付枠
２ａ  窓孔
３  プレート
４  プレート枠
５  化粧プレート
４ａ，５ａ  開口窓
６  発光表示部
７  発光制御部
１０  器体
１１  押釦ハンドル
１２  ピアノハンドル（オン・オフ操作部）
１３  接点（接点部）
【図１】
2008171730.tif 000003
【図２】
2008171730.tif 000004
【図３】
2008171730.tif 000005
【図４】
2008171730.tif 000006
【図５】
2008171730.tif 000007
【図６】
2008171730.tif 000008
【図７】
2008171730.tif 000009
【図８】
2008171730.tif 000010